(57)【要約】  【課題】  流動性物質が流れ込み易い部位とその部位に流動性物質を流し込み易い部位とができるように液室の形状を意図的に形成すると共に、それらの部位に排気口及び注入口を設け、後者の部位には注入口を設けることによって、気泡の混入を確実に防止しつつ流動性物質を液室に注入できる構造を有する表示媒体を提供すること。  【解決手段】  液室における上面視の形状が、そのうちの少なくとも２つの角部の角度が０°より大きく、かつ、７５°以下に構成される多角形又はその多角形に対応する形状であると共に、流動性物質を液室内へ注入する注入口及びその注入口から液室へ流動性物質を注入する場合に該液室中に存在する気体を外部へ排出する排気口が、上記した角度を有する角部の頂点からの最短距離が５ｍｍ以下となる位置に形成されている。そのような構造によって、液室中に封入された流動性物質への気泡混入を有効に防止できる。  【選択図】    図２
2006243269.tif 000002
【特許請求の範囲】
【請求項１】
実質的に平行に離間されて配置され少なくとも一方が表示面を構成する一対の基板と、その一対の基板間に形成される液室と、その液室内に封入される流動性物質と、その流動性物質を前記液室内へ注入する注入口と、その注入口から前記液室へ前記流動性物質を注入する場合に該液室中に存在する気体を外部へ排出する排気口とを備え、前記一対間の基板間に発生させた電界に応じて前記表示面に画像の表示を行う表示媒体において、
前記液室における上面視の形状は、少なくとも２つの角部の角度が０°より大きく、かつ、７５°以下に構成される多角形又はその多角形に対応する形状であり、
前記注入口及び前記排気口は、前記０°より大きく、かつ、７５°以下である角度を有する角部の頂点からの最短距離が５ｍｍ以下となる位置に形成されていることを特徴とする表示媒体。
【請求項２】
前記注入口及び／又は前記排気口が、前記０°より大きく、かつ、７５°以下である角度を有する角部の２等分線上にあることを特徴とする請求項１記載の表示媒体。
【請求項３】
前記多角形における角度が０°より大きく、かつ、７５°以下である角部が、前記多角形における対角線上に配置されていることを特徴とする請求項１又は２記載の表示媒体。
【請求項４】
前記注入口及び前記排気口は、該注入口と該排気口との距離が、該注入口とその注入口とは別の注入口との距離及び／又は該排気口とその排気口とは別の排気口との距離より長くなるように配置されていることを特徴とする請求項１から３のいずれかに記載の表示媒体。
【請求項５】
前記多角形における角度が０°より大きく、かつ、７５°以下である角部が２つであることを特徴とする請求項１から３のいずれかに記載の表示媒体。
【請求項６】
前記多角形における角度が０°より大きく、かつ、７５°以下である角部が、最も離れた角部となるように配置されていることを特徴とする請求項５記載の表示媒体。
【請求項７】
前記排気口は、前記角部の頂点からの最短距離が３ｍｍ以下となる位置に形成されていることを特徴とする請求項１から６のいずれかに記載の表示媒体。
【発明の詳細な説明】
【技術分野】
【０００１】
本発明は、液室に封入される流動性物質に電界を付与することによって画像を表示可能な表示媒体に関する。
【背景技術】
【０００２】
液晶表示装置や電気泳動表示装置の表示媒体では、対向する基板間に形成された液室に封入された液晶や電気泳動媒体などの流動性物質中に気泡の混入があると、それが画質劣化の原因となる。そのため、流動性物質中への気泡の混入を防止する種々の技術が提案されている。
【０００３】
例えば、特開２００４−１１７５２３号公報（特許文献１）には、液晶材料を注入するための複数の注入口を備えると共に、その注入口から液晶材料が注入された際、注入された液晶材料の到達するのが遅い部位に排気口を設けることによって、表示部に気泡の残存や未注入部分のない液晶表示セルが提案されている。
【０００４】
また、特開平１１−２４９１５５号公報（特許文献２）には、一方の気体に液晶等の流動性物質が塗布されているような一対の気体を非接触状体保持手段によって互いに非接触に保持して対向配置させ、この保持状体を解放して一端縁側から他端縁側にかけて順次接触させて封入領域に流動性物質を展延させることによって液晶素子などの流動性物質封入構造を作成する方法が提案されている。
【特許文献１】特開２００４−１１７５２３号公報
【特許文献２】特開平１１−２４９１５５号公報
【発明の開示】
【発明が解決しようとする課題】
【０００５】
しかしながら、特許文献１に記載されるように、注入された液晶材料の流れを予測した上で排気口を設けた場合、その予測を確実に行うことが困難であるという問題点があった。即ち、排気口を予測された液晶材料の流れに基づいて設けたとしても、注入時の環境によっては液晶材料が予測通りに流れず、結果的に気泡が混入し得るという問題点があった。
【０００６】
また、特許文献１に記載される液晶表示セルは、注入口及び排気口となる開口部が複数設けられるので、封止時及び封止後に気泡が混入するリスクが高いという問題点があった。
【０００７】
一方で、特許文献２に記載されるような、流動性物質を介在しつつ一対の基板を貼り合わせる方法は、流動性物質封入構造（以下、「表示媒体」と称する）が液晶表示装置用の液晶表示セルを作成する場合には、流動性物質が粒子を含有しない液晶であるので有効であるが、表示媒体が電気泳動表示装置用の表示パネルを作成する場合には、流動性物質が帯電粒子を含有する帯電粒子分散液であるので、基板の接合部が帯電粒子によって汚染され、基板の接合が不十分となり、封止後に気泡が混入するという問題点があった。
【０００８】
本発明は、上述した問題点を解決するためになされたものであり、気泡の混入を確実に防止しつつ流動性物質を液室に注入できる構造を有する電気泳動表示装置や液晶表示装置などに利用可能な表示媒体を提供することを目的としている。
【課題を解決するための手段】
【０００９】
この目的を達成するために、請求項１記載の表示媒体は、実質的に平行に離間されて配置され少なくとも一方が表示面を構成する一対の基板と、その一対の基板間に形成される液室と、その液室内に封入される流動性物質と、その流動性物質を前記液室内へ注入する注入口と、その注入口から前記液室へ前記流動性物質を注入する場合に該液室中に存在する気体を外部へ排出する排気口とを備え、前記一対間の基板間に発生させた電界に応じて前記表示面に画像の表示を行うものであって、前記液室における上面視の形状は、少なくとも２つの角部の角度が０°より大きく、かつ、７５°以下に構成される多角形又はその多角形に対応する形状であり、前記注入口及び前記排気口は、前記０°より大きく、かつ、７５°以下である角度を有する角部の頂点からの最短距離が５ｍｍ以下となる位置に形成されている。
【００１０】
請求項２記載の表示媒体は、請求項１記載の表示媒体において、前記注入口及び／又は前記排気口が、前記０°より大きく、かつ、７５°以下である角度を有する角部の２等分線上に位置するように構成されている。
【００１１】
請求項３記載の表示媒体は、請求項１又は２記載の表示媒体において、前記多角形における角度が０°より大きく、かつ、７５°以下である角部が、前記多角形における対角線上に配置されている。
【００１２】
請求項４記載の表示媒体は、請求項１から３のいずれかに記載の表示媒体において、前記注入口及び前記排気口は、該注入口と該排気口との距離が、該注入口とその注入口とは別の注入口との距離及び／又は該排気口とその排気口とは別の排気口との距離より長くなるように配置されている。
【００１３】
請求項５記載の表示媒体は、請求項１から３のいずれかに記載の表示媒体において、前記多角形における角度が０°より大きく、かつ、７５°以下である角部が２つ形成されている。
【００１４】
請求項６記載の表示媒体は、請求項５記載の表示媒体において、前記多角形における角度が０°より大きく、かつ、７５°以下である角部が、最も離れた角部となるように配置されている。
【００１５】
請求項７記載の表示媒体は、請求項１から６のいずれかに記載の表示媒体において、前記排気口は、前記角部の頂点からの最短距離が３ｍｍ以下となる位置に形成されている。
【発明の効果】
【００１６】
請求項１記載の表示媒体によれば、液室における上面視の形状が、そのうちの少なくとも２つの角部の角度が０°より大きく、かつ、７５°以下に構成される多角形又はその多角形に対応する形状であると共に、流動性物質を液室内へ注入する注入口及びその注入口から液室へ流動性物質を注入する場合に該液室中に存在する気体を外部へ排出する排気口が、上記の０°より大きく、かつ、７５°以下である角度を有する角部の頂点からの最短距離が５ｍｍ以下となる位置に形成されている。
【００１７】
よって、注入口が、０°より大きく、かつ、７５°以下である角度を有する角部の頂点からの最短距離が５ｍｍ以下となる位置に形成されているので、流動性物質の注入時に、該角部を構成する２辺に沿って流入する流動性物質の流動方向を制御し易い。その結果として、流動性物質の注入に伴う液室内の気泡の排除が容易となるために、液室中に封入された流動性物質への気泡混入が有効に防止できるという効果がある。
【００１８】
一方で、排気口が、０°より大きく、かつ、７５°以下である角度を有する角部の頂点からの最短距離が５ｍｍ以下となる位置に形成されているので、液室へ注入された流動性物質は、該角部を構成する２辺に沿って該排気口へ向かって案内され、液室内が満たされるに従って、液室から気泡を確実に排出することができる。その結果として、液室中に封入された流動性物質への気泡混入を有効に防止できるという効果がある。
【００１９】
なお、請求項１における「多角形に対応する形状」とは、少なくとも２つの角部の角度が０°より大きく、かつ、７５°以下に構成される多角形における一部又は全部の角部の頂点近傍が切り取られたり、丸められた形状を意味する。
【００２０】
請求項２記載の表示媒体によれば、請求項１記載の表示媒体の奏する効果に加えて、注入口及び／又は排気口が、０°より大きく、かつ、７５°以下である角度を有する角部の２等分線上に位置するように構成されている。
【００２１】
よって、注入口がそのような位置に設けられた場合には、該注入口から注入された流動性物質の流れが偏り難いので、その流動方向を、気泡の残存を抑制しつつ注入口から排気口へ向かうように制御し得る。その結果として、液室中に封入された流動性物質への気泡混入を有効に防止できるという効果がある。
【００２２】
一方で、排気口がそのような位置に設けられた場合には、排気口へ向かう流動性物質の流れが偏り難いので、気泡を確実に排出することができる。その結果として、液室中に封入された流動性物質への気泡混入を有効に防止できるという効果がある。
【００２３】
請求項３記載の表示媒体によれば、請求項１又は２記載の表示媒体の奏する効果に加えて、液室の上面視の形状である多角形における０°より大きく、かつ、７５°以下に構成される角部が、多角形における対角線上に配置されているので、注入口及び排気口を対角線上にある角部に設けることにより、液室への流動性物質の注入時に、注入口から排気口への流動性物質の流れが偏りにくく、気泡を排気口から確実に排出しつつ液室を流動性物質によって満たすことができる。その結果として、液室中に封入された流動性物質への気泡混入を有効に防止できるという効果がある。
【００２４】
請求項４記載の表示媒体によれば、請求項１から３のいずれかに記載の表示媒体の奏する効果に加えて、注入口と排気口との距離が、該注入口とその注入口とは別の注入口との距離及び／又は該排気口とその排気口とは別の排気口との距離より長くなるように配置されているので、液室への流動性物質の注入時における流動性物質の流動方向を、気泡の残存を抑制しつつ注入口から排気口へ向かう方向に有効に向けることができる。よって、気泡を排気口から確実に排出しつつ液室を流動性物質によって満たすことができるので、液室中に封入された流動性物質への気泡混入を有効に防止できるという効果がある。
【００２５】
請求項５記載の表示媒体によれば、請求項１から３のいずれかに記載の表示媒体の奏する効果に加えて、液室の上面視の形状である多角形には、その角度が０°より大きく、かつ、７５°以下である角部が２つ形成されているので、それらの角部に注入口と排気口とを１つずつ設けることにより、多数の開口部が存在する場合に生じやすい封止時及び封止後における気泡混入のリスクを可能な限り低減できることになる。その結果として、液室中に封入された流動性物質への気泡混入を有効に防止できるという効果がある。
【００２６】
請求項６記載の表示媒体によれば、請求項５記載の表示媒体の奏する効果に加えて、液室の上面視の形状である多角形における０°より大きく、かつ、７５°以下である角部が、最も離れた角部となるように配置されているので、それらの角部にそれぞれ注入口と排気口とを設けることにより、液室への流動性物質の注入時に、流動性物質の流動方向を最も有効に注入口から排気口へ向けることができる。従って、気泡を排気口から確実に排出しつつ液室が流動性物質によって満たされる。その結果として、液室中に封入された流動性物質への気泡混入を有効に防止できるという効果がある。
【００２７】
請求項７記載の表示媒体によれば、請求項１から６のいずれかに記載の表示媒体の奏する効果に加えて、前記排気口は、前記角部の頂点からの最短距離が３ｍｍ以下となる位置に形成されているので、液室へ注入された流動性物質は、該角部を構成する２辺に沿って該排気口へ向かって案内され、液室内が満たされるに従って、液室から気泡を確実に排出することができる。その結果として、液室中に封入された流動性物質への気泡混入をより有効に防止できるという効果がある。
【発明を実施するための最良の形態】
【００２８】
以下、本発明の好ましい実施例について、添付図面を参照して説明する。ここで、図１は、本発明の第１実施例における画像表示媒体１０を説明する図であり、図１（ａ）は、画像表示媒体１０の上面図であり、図１（ｂ）は、（ａ）におけるＩｂ−Ｉｂ線方向の断面を模式的に示した模式図である。図２は、図１（ａ）における角部Ａの拡大図である。まず、これらの図１及び図２を参照して、画像表示媒体１０の全体構成について説明する。
【００２９】
画像表示媒体１０は、図１（ａ）に示すように上面視略矩形の電気泳動表示用のパネルであり、Ｘ電極１２ａ及びＹ電極１３ａに印加する電気信号（電流、電圧、極性）を制御する駆動制御ユニット（非図示）に接続されて、表示面である第１基板１２の表示領域Ｄにユーザの操作に応じた画像を表示するものである。
【００３０】
この画像表示媒体１０は、図１（ｂ）に示すように、第１基板１２と、第２基板１３と、その第２基板１３と第１基板１２との間に挟持されるフレーム部材１７とを主に備えている。
【００３１】
第１基板１２及び第２基板１３は、いずれも、約１００μｍ程度の厚さを有する板状体であり、ガラス、ポリエチレンテレフタレートなどの合成樹脂、天然樹脂、紙などにより構成されている。第１基板１２及び第２基板１３における表示領域Ｄに対応する部分には、互いに対向する側の面上に、それぞれ、Ｘ電極１２ａ及びＹ電極１３ａが設けられている。
【００３２】
Ｘ電極１２ａ及びＹ電極１３ａは、液室Ｒに充填された帯電粒子分散液３３に電界を与えるための極性を担うものである。Ｘ電極１２ａ及びＹ電極１３ａは、いずれも、複数本の実質的に平行なライン状に形成されていると共に、実質的に互いに直交するように配置されている。即ち、画像表示媒体１０は、これらの電極１２ａ，１３ａのオン又はオフを切り換える単純マトリックス駆動方式の画像表示媒体である。
【００３３】
Ｘ電極１２ａ及びＹ電極１３ａはいずれも、導電性を有するものであれば、特にその材料には限定されず、金属、半導体、導電性樹脂、導電性塗料、導電性インク、無機透明導電体などの材料により構成されている。Ｘ電極１２ａ及びＹ電極１３ａは、上記のような材料を用い、周知の無電界メッキ法、スパッタ法、蒸着法、インクジェット法などの方法によって、それぞれ、第１基板１２及び第２基板１３上に形成することができる。
【００３４】
第１基板１２におけるＸ電極１２ａの形成面、及び、第２基板１３におけるＹ電極１３ａの形成面には、耐液性の保護膜１９が設けられている。この保護膜１９によって、液体である電気泳動媒体３０と電極（Ｘ電極１２ａ及びＹ電極１３ａ）との直接接触が防止されるので、画像表示媒体１０における電極（Ｘ電極１２ａ及びＹ電極１３ａ）の劣化を防止することができる。この保護膜１９としては、撥水性、撥油性、耐食性、耐薬品性などに優れているという点から、含フッ素化合物を含有する膜であることが好ましい。
【００３５】
ここで、含フッ素化合物としては、所定の温度以上で液体状になる含フッ素化合物であることが好ましく、例えば、低分子量ポリテトラフルオロエチレン（低分子量ＰＴＦＥ）、低分子量ポリクロロトリフルオロエチレン（低分子量ＰＣＴＦＥ）、低分子量テトラフルオロエチレン・パーフルオロアルキルビニルエーテル共重合体（低分子量ＰＦＡ）、低分子量テトラフルオロエチレン・ヘキサフルオロプロピレン共重合体（低分子量ＦＥＰ）などが挙げられる。
【００３６】
フレーム部材１７は、厚さ約２５μｍ程度の板状部材である。このフレーム部材１７は、ポリエチレンテレフタレート（ＰＥＴ）などの合成樹脂、天然樹脂、セラミクス又はガラスなどから構成される。このフレーム部材１７には、図１（ａ）に示すように、その上面視において、対角である角部Ａと角部Ｂとが鋭角である六角形の開口部１７ａが開口されている。
【００３７】
液室Ｒは、フレーム部材１７の介在によって離間される第１基板１２と第２基板１３との間に形成される、開口部１７ａの形状及びフレーム部材１７の厚さに応じた形状の空間である。即ち、本実施例の場合、液室Ｒは、その上面視が開口部１７ａの形状である２つの鋭角の角部Ａ，Ｂを有する六角形であって、その厚さが約２５μｍである空間に形成されている。
【００３８】
この液室Ｒには、帯電粒子３１が電気泳動媒体３０に分散された液体である帯電粒子分散液３３が充填されている。液室Ｒに充填される帯電粒子分散液３３の分散媒である電気泳動媒体３０は、電気抵抗が高い（絶縁性が高い）溶媒であることが好ましく、好ましい溶媒としては、例えば、芳香族炭化水素溶媒（例えば、ベンゼン、トルエン、キシレンなど）、脂肪族炭化水素溶媒（例えば、ヘキサン、シクロヘキサンなどの直鎖又は環状パラフィン系炭化水素溶媒、イソパラフィン系炭化水素溶媒、ケロシンなど）、ハロゲン化炭化水素溶媒（例えば、クロロホルム、トリクロロエチレン、ジクロロメタン、トリクロロトリフルオロエチレン、臭化エチルなど）、シリコーンオイルのようなオイル状のポリシロキサン、高純度石油などが挙げられる。なお、電気泳動表示媒体１０では、上記のような各溶媒を単独で用いても、２種以上の混合物として用いてもよい。
【００３９】
一方、帯電粒子分散液３３の分散質である帯電粒子３１は、正に帯電されている白色の白色帯電粒子３１ａと、負に帯電されている黒色の黒色帯電粒子３１ｂとから構成されている。白色帯電粒子３１ａや黒色帯電粒子３１ｂとしては、白色の酸化チタンや黒色のカーボンブラック、あるいは、フタロシアニン系顔料などの有機顔料の表面にフッ素系の単分子膜を形成して疎水性を持たせたものや、同有機顔料の表面をシランカップリング剤で処理して疎水性を持たせたものが使用される。
【００４０】
これらの白色帯電粒子３１ａ及び黒色帯電粒子３１ｂは、それぞれ、画像表示媒体１０における各画素毎に、Ｘ電極１２ａとＹ電極１３ａとの間に発生される電界に応じて、第１基板１２側又は第２基板１３側に泳動される。
【００４１】
より具体的には、Ｘ電極１２ａがＹ電極１３ａに対して正となるように電界が形成された場合には、負に帯電されている黒色帯電粒子３１ｂは、第１基板１２側（Ｘ電極１２ａ側）に泳動し、一方で、正に帯電されている白色帯電粒子３１ａは、第２基板１３側（Ｙ電極１３ａ側）に泳動する。
【００４２】
一方で、Ｘ電極１２ａがＹ電極１３ａに対して負となるように電界が形成された場合には、正に帯電されている白色帯電粒子３１ａが、第１基板１２側（Ｘ電極１２ａ側）に泳動し、一方で、負に帯電されている黒色帯電粒子３１ｂは、第２基板１３側（Ｙ電極１３ａ側）に泳動する。従って、制御ユニット（非図示）により、Ｘ電極１２ａとＹ電極１３ａとの間に画像データに応じた電界を印加することによって、表示面である第１基板１２における表示領域Ｄに、その画像データに従って第１基板１２側へ泳動された黒色帯電粒子３１ｂに起因する黒色の画像が表示されることになる。
【００４３】
画像表示媒体１０の第１基板１２上には、上記のような帯電粒子分散液３３を液室Ｒへ注入するための貫通孔である注入口２１と、その注入口２１からから液室Ｒへ帯電粒子分散液３３を注入する際に液室Ｒ中に存在する気体を外部へ排出するための貫通孔である排気口２２とが設けられている。
【００４４】
なお、説明を簡略化するために図１（ａ）においては、注入口２１及び排気口２２の開口断面を円形として図示したが、注入口２１及び排気口２２の開口断面は円形に限定されず多角形や不定形など種々の形状に構成することができる。また、注入口２１及び排気口２２となる貫通孔の断面は一方の開口端から他方の開口端までほぼ一定形状であってもよいし、液室Ｒ側に向かって広くなるなど一定形状でなくてもよい。
【００４５】
注入口２１は、帯電粒子分散液３３の注入中に帯電粒子３１による詰まりを防止するという点において、その開口ができるだけ広いことが好ましい。そのため、注入口２１の広さは、その断面に内接する円の直径ｄ１のうち最も短い直径ｄ１ｍｉｎが、帯電粒子分散液３３中の帯電粒子３１の平均粒径の５倍以上であることが好ましい。また、液室Ｒ側の断面へ向かって断面が拡がるように注入口２１を構成すると、帯電粒子分散液３３の注入中に帯電粒子３１による詰まりを防止することができるので好ましい。
【００４６】
排気口２２は、その開口の広さが、帯電粒子分散液３３の注入中に帯電粒子３１によりその流路を閉塞せず、かつ、注入中に帯電粒子３１が排気口２２の外へ流出しない程度の広さであるとが好ましい。そのため、排気口２２の広さは、その断面に内接する円の直径ｄ２のうち最も短い直径ｄ２ｍｉｎが、帯電粒子分散液３３中の帯電粒子３１の平均粒径の１倍以上であり、かつ、４倍未満であることが好ましい。また、第１基板１２の表面側（外部側）の断面における直径ｄ２が最も短くなるように（ｄ２＝ｄ２ｍｉｎ）排気口２２を構成すると、帯電粒子分散液３３への気泡混入を防止することができるので好ましい。
【００４７】
なお、注入口２１及び排気口２２の数は、各々１以上形成されていればよく、両者の数は同じあっても異なっていてもよい。しかし、注入口２１及び排気口２２の数が多いほど、封止時及び封止後における気泡混入のリスクが生じ易くなるので、注入口２１及び排気口は、それぞれ１つずつであることが好ましい。
【００４８】
また、これらの注入口２１および排気口２２は、それぞれ、上面視が六角形である液室Ｒにおける鋭角の角部Ａ，Ｂの近傍に設けられている。詳細は図３及び図４を参照しつつ後述するが、このように、液室Ｒの上面視の形状において鋭角に形成されている角部Ａ，Ｂの近傍に注入口２１および排気口２２を配置することによって、注入された帯電粒子分散液３３の流動方向を、気泡混入防止に有効となるように制御することができる。
【００４９】
即ち、鋭角である角部Ａの近傍に注入口２１を配置し、一方で、その角部Ａの対角であり鋭角の角部Ｂの近傍に排気口２２を配置することによって、帯電粒子分散液３３は角部Ａを構成する２辺に沿って液室Ｒに流入し易くなると共に、液室Ｒへ流れ込んだ帯電粒子分散液３３は、角部Ｂを構成する２辺に沿って、その角部Ｂの近傍に配置された排気口２３へ向かって案内され、液室Ｒ内が満たされるに従って、液室Ｒ内から気泡を確実に排出する。その結果として、気泡が混入されることなく帯電粒子分散液３３を液室Ｒ内に満たすことができるのである。
【００５０】
特に、注入口２１及び排気口２２は、図３を参照して後述するように、角度が０°より大きく、かつ、７５°以下である角部に設けることが好ましい。注入口２１及び排気口２２を設ける角部Ａ，Ｂの角度が０°より大きく、かつ、７５°以下であることによって、帯電粒子分散液３３の流動方向が、気泡を残存させることなく注入口２１から排気口２２へ向かい易くなるので、帯電粒子分散液３３の注入時に気泡の混入を防止するという点において有効である。
【００５１】
また、注入口２１及び排気口２２の配置は、互いにできるだけ離れた位置に配置することが液室Ｒに注入される帯電粒子分散液３３の流れを妨害せず、注入中に気泡を残留させないという点で好ましい。よって、それらを設ける角部Ａ，Ｂが、互いに対角線上の角部、即ち、隣り合っていない角部として配置されていることが好ましい。
【００５２】
角部Ａ，Ｂが互いに対角線上の角部となるように配置されることによって、液室Ｒへの帯電粒子分散液３３の注入時に、注入口２１から排気口２２への帯電粒子分散液３３の流れが偏りにくく、気泡が確実に排気口２２から排出されつつ、液室Ｒが帯電粒子分散液３３によって満たされることになる。その結果として、液室中に封入された帯電粒子分散液３３への気泡混入を有効に防止できるのである。
【００５３】
本実施例のように、注入口２１及び排気口２２をそれぞれ１つずつ設ける場合には、注入口２１及び排気口２２を、最も離れた角部である角部Ａ及び角部Ｂに配置することが最も好ましい。注入口２１及び排気口２２が、最も離れた角部である角部Ａ及び角部Ｂに配置されることにより、帯電粒子分散液３３の流動方向を最も有効に注入口２１から排気口２２へ向けることができる。よって、気泡が排気口２２から確実に排出されつつ液室Ｒが帯電粒子分散液３３によって満たされ、その結果として、液室Ｒ中に封入された帯電粒子分散液３３への気泡混入を有効に防止できるのである。
【００５４】
また、注入口２１は、図４を参照して後述するように、角部Ａの頂点との最短距離ｄ（図２参照）が５ｍｍ以下である位置に設けることが好ましい。注入口２１と角部Ａの頂点との最短距離ｄを５ｍｍ以下とすることによって、帯電粒子分散液３３の注入時に、角部Ａを構成する２辺に沿って流入する帯電粒子分散液３３の流れを制御し易く、角部Ａの頂点近傍に気泡が残存することを抑制できる。その結果として、帯電粒子分散液３３への気泡の混入を有効に防止することができる。
【００５５】
排気口２２もまた、注入口２１と同様に、角部Ｂの頂点との最短距離ｄ’（非図示）が５ｍｍ以下である位置に設けることが好ましい。排気口２２と角部Ｂの頂点との最短距離ｄを５ｍｍ以下とすることによって、帯電粒子分散液３３の注入時に、角部Ｂの頂点近傍に気泡を残存させることなく帯電粒子分散液３３が液室Ｒ内に満たされていくので、帯電粒子分散液３３への気泡の混入を有効に防止することができる。
【００５６】
また、図２に示すように、注入口２１は、その略中心Ｘが角部Ａの２等分線上に位置するように設けられることが好ましい。注入口２１の略中心Ｘが角部Ａの２等分線Ｙ上にあることにより、注入口２１から注入された帯電粒子分散液３３の流れが偏り難いために、その流動方向を、気泡を残存させることなく注入口２１から排気口２２へ向かうように制御し易い。よって、その結果として、帯電粒子分散液３３への気泡の混入を有効に防止することができるのである。
【００５７】
排気口２２もまた、注入口２１と同様に、その略中心が角部Ｂの２等分線上に位置するように設けられることが好ましい。排気口２２の略中心が角部Ｂの２等分線上にあることにより、排気口２２へ向かう帯電粒子分散液３３の流れが偏り難く、気泡を確実に排出できるので、その結果として、帯電粒子分散液３３への気泡の混入を有効に防止することができる。
【００５８】
ここで、上記構成を有する画像表示媒体１０のセル（液室Ｒが空である画像表示媒体１０）を組立後、液室Ｒに帯電粒子分散液３３を注入する場合には、例えば、常圧注入法が用いられる。具体的な例としては、常圧下で空セル（液室Ｒが空である画像表示媒体１０）の注入口２１を帯電粒子分散液３３に浸し、液室Ｒの内部に存在する気体（ガス）を排気口２２から外部へ排出しつつ、毛管現象を利用して液室Ｒ内に帯電粒子分散液３３を満たしていく。そして、液室Ｒが帯電粒子分散液３３で満たされたら、帯電粒子分散液３３から取り出し、注入口２１及び排気口２２を、エポキシ樹脂などの封止材を用いて封止する。
【００５９】
上述のように構成された画像表示媒体１０へ帯電粒子分散液３３を注入する場合における、（１）注入口２１及び排気口２２が配置される角部Ａ及び角部Ｂの角度が帯電粒子分散液３３への気泡混入へ及ぼす影響と、（２）距離ｄ，ｄ’が帯電粒子分散液３３への気泡混入へ及ぼす影響とを調査した。
【００６０】
図３は、注入口２１及び排気口２２が配置される角部Ａ及び角部Ｂの角度と帯電粒子分散液３３への気泡混入具合とを調査した際の結果を示す図である。図３において、評価「○」は、調査サンプル総数に対し、目視によって気泡の混入が認められた調査サンプルの割合が１０％以下であったことを示す。また、評価「△」は、調査サンプル総数に対し、目視によって気泡の混入が認められた調査サンプルの割合が１０％より大きく３０％以下であったことを示す。さらに、評価「×」は、調査サンプル総数に対し、目視によって気泡の混入が認められた調査サンプルの割合が５０％以上であったことを示す。
【００６１】
図３に示すように、角部Ａの角度＝３０°の場合には、角部Ｂの角度＝３０°，６０°，７５°のいずれも、評価は「○」であったが、角部Ｂの角度＝９０°になると、気泡の混入の認められた調査サンプル数の割合は増加して評価が「△」となった。そして、角部Ｂの角度＝１２０°になると、全体の半分以上に気泡の混入が確認され、評価は「×」となった。
【００６２】
角部Ａの角度＝６０°，７５°の場合もまた、３０°の場合と同様に、角部Ｂの角度＝３０°，６０°，７５°であれば、評価は「○」であるが、角部Ｂの角度＝９０°になると、評価は「△」となり、角部Ｂの角度＝１２０°になると、評価は「×」となった。
【００６３】
一方で、角部Ａの角度＝９０°の場合には、角部Ａの角度＝３０°，６０°，７５°の場合とは異なり、角部Ｂの角度＝７５°であっても、評価は「△」であった。さらに、角部Ａの角度＝１２０°の場合には、角部Ｂの角度＝３０°であっても、評価は「×」であった。
【００６４】
上記の結果によれば、注入口２１及び排気口２２がその近傍に配置される角度Ａ及び角度Ｂの角度を、鋭角、即ち、０°より大きく、かつ、９０°以下とすることにより、帯電粒子分散液３３の注入時における気泡の混入を防止することができる。
【００６５】
さらに、上記の結果によれば、角度Ａ及び角度Ｂの角度を、０°より大きく、かつ、７５°以下である場合に、帯電粒子分散液３３の注入時における気泡の混入を特に有効に防止できることが明白である。つまり、角度Ａ及び角度Ｂの角度を、０°より大きく、かつ、７５°以下とすることによって、帯電粒子分散液３３の流動方向が、気泡を残存させることなく注入口２１から排気口２２へより向かい易くなるので、帯電粒子分散液３３の注入時における気泡の混入を有効に防止することができるのである。
【００６６】
図４は、距離ｄ，ｄ’と帯電粒子分散液３３への気泡混入具合とを調査した際の結果を示す図である。図４に示す結果において、評価「○」、評価「△」及び評価「×」はいずれも、図３における評価「○」、評価「△」及び評価「×」と同じである。
【００６７】
図４に示すように、注入口２１と角部Ａの頂点との最短距離ｄ＝１ｍｍの場合には、排気口２２と角部Ｂの頂点との最短距離ｄ’＝１ｍｍ，３ｍｍにおいて評価は「○」であったが、ｄ’＝５ｍｍになると評価は「△」となり、ｄ’＝７ｍｍになると評価は「×」となった。また、ｄ＝３ｍｍ及びｄ＝５ｍｍの場合も、ｄ＝１ｍｍと同様の結果が得られた。
【００６８】
一方で、ｄ＝７ｍｍの場合には、ｄ＝１ｍｍ，３ｍｍ，５ｍｍの場合とは異なり、ｄ’＝３ｍｍの場合でさえも、評価は「×」であった。
【００６９】
上記の結果によれば、注入口２１と角部Ａの頂点との最短距離ｄを５ｍｍ以下とすることによって、帯電粒子分散液３３の注入時に、角部Ａを構成する２辺に沿って流入する帯電粒子分散液３３の流動方向を制御し易く、角部Ａの頂点近傍に気泡が残存することを抑制できるので、帯電粒子分散液３３への気泡の混入を有効に防止することができる。
【００７０】
また、排気口２２と角部Ｂの頂点との最短距離ｄ’を５ｍｍ以下、特に３ｍｍ以下とすることにより、帯電粒子分散液３３の注入時に、角部Ｂの頂点近傍に気泡が残存し難い。よって、気泡を確実に排出しつつ帯電粒子分散液３３が液室Ｒ内に満たされていくので、帯電粒子分散液３３への気泡の混入を有効に防止することができるのである。
【００７１】
次に、図５を参照して、画像表示媒体１０に帯電粒子分散液３３を注入する際の好ましい流速条件について説明する。図５は、注入口２１から注入された帯電粒子分散液３３の流動方向界面を模式的に示す図である。
【００７２】
図５（ｂ）は、注入口２１から帯電粒子分散液３３を加圧しつつ注入するなど、比較的速い流速で注入される場合の流動方向界面を経時的に示した模式図である。注入口２１から帯電粒子分散液３３が比較的速い流速で注入された場合には、その流動方向界面は進行方向に対して凸状に、Ｓ１ａ→Ｓ１ｂ→Ｓ１ｃのように移動する。このように、流動方向界面が進行方向に対して凸状であると、例えば領域Ｖなど帯電粒子分散液３３と液室Ｒの側壁面との間に気泡が残存し易い領域が発生する。よって、流動方向界面が進行方向に対して凸状であると、結果的に、帯電粒子分散液３３に気泡が混入し易い。
【００７３】
一方で、図５（ａ）は、上記したような常圧注入法による注入など、比較的遅い流速で注入される場合（例えば、常圧注入法により注入された場合）の流動方向界面を経時的に示した模式図である。注入口２１から帯電粒子分散液３３が比較的遅い流速で注入された場合には、毛管現象によって壁面部分での帯電粒子分散液３３の進行速度が速くなるため、その流動方向界面は進行方向に対して凹状となる。ここで、帯電粒子３１の応答速度を向上させるために、帯電粒子分散液３３の分散媒である電気泳動媒体３０として粘性の低い溶媒を用いた場合には、壁面部分での帯電粒子分散液３３の進行速度が特に速いために、その流動方向界面は進行方向に対して凹状になり易い傾向にある。
【００７４】
図５（ａ）に示すように、注入口２１から帯電粒子分散液３３が比較的遅い流速で注入された場合の界面は、Ｓ２ａ→Ｓ２ｂ→Ｓ２ｃ→Ｓ２ｄのように移動する。流動方向界面は進行方向に対して凹状である場合には、液室Ｒ内に気泡を残存させることなく帯電粒子分散液３３が液室Ｒ内に満たされていくので、結果的に、帯電粒子分散液３３への気泡の混入を有効に防止することができる。
【００７５】
従って、注入口２１への帯電粒子分散液３３の注入は、その流動方向界面が進行方向に対して凹状となるような速度で行うことが、帯電粒子分散液３３への気泡の混入を防止する上で有効である。
【００７６】
以上説明したように、本発明の画像表示媒体１０によれば、注入口２１が、０°より大きく、かつ、７５°以下である角度を有する角部Ａの頂点からの最短距離ｄが５ｍｍ以下となる位置に形成されているので、帯電粒子分散液３３の注入時に、角部Ａを構成する２辺に沿って流入する帯電粒子分散液３３の流動方向の制御が容易となり、この角部Ａの頂点近傍に気泡が残存することを抑制できる。その結果として、液室Ｒ中に封入された帯電粒子分散液３３への気泡混入が有効に防止できるのである。
【００７７】
一方、排気口２２もまた、０°より大きく、かつ、７５°以下である角度を有する角部Ｂの頂点からの最短距離ｄ’が５ｍｍ以下となる位置に形成されているので、液室へ注入された帯電粒子分散液３３は、角部Ｂを構成する２辺に沿って該排気口２２へ向かって案内され、液室Ｒ内が満たされるに従って、角部Ｂの頂点近傍に気泡が残存し難く、液室Ｒから気泡を確実に排出することができる。その結果として、液室Ｒ中に封入された帯電粒子分散液３３への気泡混入を有効に防止できるのである。
【００７８】
上記のような０°より大きく、かつ、７５°以下である２つの鋭角の角部Ａ，Ｂに、注入口２１及び排気口２２を１つずつ設けることによって、帯電粒子分散液注入用の開口部（注入口又は排気口）が多い場合に生じやすい封止時及び封止後における気泡混入のリスクを可能な限り低減できるので、液室Ｒ中に封入された帯電粒子分散液３３への気泡混入を有効に防止できるのである。
【００７９】
この場合、注入口２１の設けられる角部Ａ及び排気口２２の設けられる角部Ｂを、最も離れた対角線上の角部として配置することによって、液室Ｒへの帯電粒子分散液３３の注入時に、帯電粒子分散液３３の流動方向を最も有効に注入口２１から排気口２２へ向けることができるので、気泡を排気口２２から確実に排出しつつ液室Ｒが帯電粒子分散液３３で満たされる。その結果として、液室Ｒ中に封入された帯電粒子分散液３３への気泡混入を有効に防止できるのである。
【００８０】
以上、実施例に基づき本発明を説明したが、本発明は上述した実施例に何ら限定されるものではなく、本発明の趣旨を逸脱しない範囲内で種々の改良変更が可能であることは容易に推察できるものである。
【００８１】
例えば、上記実施例では、画像表示媒体１０を、電気泳動表示装置用の表示媒体、即ち、液室Ｒの帯電粒子分散液３３が封入される表示媒体として例示したが、これに限定されず、液室に液晶が封入される液晶表示装置用の表示媒体であってもよい。
【００８２】
また、上記実施例では、液室Ｒの上面視の形状を、対角の位置に２つの鋭角の角部Ａ及び角部Ｂを有する六角形（図１（ａ）参照）に構成したが、液室Ｒの上面視はそのような六角形に限定されるものではない。ここで、図６を参照して、液室Ｒの上面視の形状の変形例について説明する。図６は、液室Ｒの上面視の形状に対応するフレーム部材１７の開口部１７ａの形状の変形例を示す図である。
【００８３】
まず、図６（ａ）及び図６（ｂ）に示すように、液室Ｒの上面視の形状は六角形に限定されるものではなく、種々の形状に改変可能である。この場合、鋭角の角部を、その頂点の近傍に注入口２１及び排気口２２を少なくとも１つずつ設けるために少なくとも２つ有する多角形であればよい。
【００８４】
また、上記実施例において、鋭角の角部Ａ及び角部Ｂが隣り合っていないことが好ましいと記載したが、図６（ａ）に示すように、鋭角の角部Ａ，Ｂが隣接する角部であっても、その角部Ａ，Ｂが鋭角、特に、０°より大きく、かつ、７５°以下の鋭角であれば、上記実施例において説明した通り、液室Ｒ中に封入された帯電粒子分散液３３への気泡混入を有効に防止できる。
【００８５】
また、図６（ｂ）に示すように、鋭角の角部が３つ（角部Ａ，Ｂ，Ｃ）形成されていてもよい。なお、鋭角の角部を３つ以上に構成することも当然可能である。３つの鋭角の角部Ａ，Ｂ，Ｃが形成されている場合には、注入口２１及び排気口２２は、図６（ｂ）に示すように、３つの鋭角の角部Ａ，Ｂ，Ｃの全てに対しその近傍に設けるように構成してもよいし、一部の角部の近傍にのみ設けるように構成してもよい。即ち、少なくとも２つの鋭角の角部の近傍に、注入口２１と排気口２２とがそれぞれ１つずつ設けられるように構成すればよい。
【００８６】
ここで、注入口２１及び排気口２２が合計で３つ以上設けられる場合には、注入口２１と排気口２２との距離が、注入口２１とその注入口２１とは別の注入口２１との距離及び／又は排気口２２とその排気口２２とは別の排気口２２との距離より長くなるように、注入口２１及び排気口２２を配置することが好ましい。
【００８７】
即ち、図６（ｂ）に示すように、注入口２１と排気口２２とができるだけ離間されるように配置することが好ましい。そのように、注入口２１と排気口２２とをできるだけ離間させて配置することにより、液室Ｒへの帯電粒子分散液３３の注入時における帯電粒子分散液３３の流動方向を、気泡の残存を抑制しつつ、注入口２１から排気口２２へ有効に向けることができる。その結果、液室Ｒが帯電粒子分散液３３によって満たされる際には、排気口２２から気泡が確実に排出されるので、液室Ｒ中に封入された帯電粒子分散液３３への気泡混入を有効に防止できるのである。
【００８８】
また、上記実施例では、液室Ｒにおける上面視の周縁部の形状を、２つの隣接する辺により構成される鋭角の角部Ａ，Ｂを有する多角形（六角形）として構成したが、少なくとも角部Ａ，Ｂについて、２つの隣接する辺により構成される鋭角の角部ではなく、その鋭角の角部に対応する形状に構成してもよい。
【００８９】
ここで、図７を参照して、液室Ｒの上面視の多角形に対応する形状について説明する。図７は、鋭角の角部Ａに対応する液室Ｒの周縁部の形状の変形例を示す図である。液室Ｒの上面視の周縁部の形状は、例えば、図７（ａ）に示すような角部Ａの頂点近傍を切断した形状や、図７（ｂ）に示すような角部Ａの頂点近傍を丸めた形状などに構成できる。この場合、注入口２１を、角部Ａの頂点との最短距離ｄが５ｍｍ以下である位置に設けることによって、上記実施例において例示したような鋭角の角部Ａを周縁部とする六角形（図１（ａ）参照）と同様に、液室Ｒ中に封入された帯電粒子分散液３３への気泡混入を有効に防止することができる。
【００９０】
なお、角部Ａの頂点近傍を切断した形状とする場合には、図７（ａ）に示したように１の直線で角部Ａの頂点近傍を切断した形状であってもよいし、角部Ａ側に凸となる山形形状など複数の直線で切断した形状であってもよい。また、図７では、注入口２１が設けられた角部Ａに対する変形例のみを図示したが、排気口２２が設けられる角部Ｂについても同様である。
【００９１】
また、上記実施例では、注入口２１及び排気口２２の位置をいずれも略矩形の表示領域Ｄの外側に設けるように構成したが（図１（ａ）参照）、表示領域Ｄの形状を適宜変更してその内側に設けるように構成してもよい。
【００９２】
また、上記実施例では、注入口２１、排気口２２をいずれも第１基板１２上に設けるように構成したが、第２基板１３上に設けるように構成してもよい。また、注入口２１又は排気口２２の少なくとも一方を、液室Ｒの側面に配置するように構成してもよい。なお、注入口２１又は排気口２２を液室Ｒの側面に配置する場合もまた、鋭角の角部Ａ又はＢの頂点との最短距離ｄ又はｄ’が５ｍｍ以下になるような位置に配置すればよい。
【００９３】
また、上記実施例では、第１基板１２と第２基板１３とにおける対向する側の面にＸ電極１２ａ及びＹ電極１３ａが設けられるように構成したが、画像表示媒体１０にＸ電極１２ａ及びＹ電極１３ａを設けないように構成してもよい。この場合、Ｘ電極１２ａ及びＹ電極１３ａに相当する一対の電極を本体２０側に設け、表示装置１において、本体２０側に設けられた一対の電極で、Ｘ電極１２ａ及びＹ電極１３ａの設けられていない画像表示媒体１０を挟み込むことによって画像を表示させる。
【図面の簡単な説明】
【００９４】
【図１】本発明の第１実施例における画像表示媒体を説明する図であり、（ａ）は、第１実施例の画像表示媒体の上面図であり、（ｂ）は、（ａ）におけるＩｂ−Ｉｂ線方向の断面を模式的に示した模式図である。
【図２】図１（ａ）における角部Ａの拡大図である。
【図３】角部Ａ及び角部Ｂの角度と帯電粒子分散液への気泡混入具合とを調査した際の結果を示す図である。
【図４】距離ｄ，ｄ’と、帯電粒子分散液への気泡混入具合とを調査した際の結果を示す図である。
【図５】注入口から注入された帯電粒子分散液の流動方向界面を模式的に示す図である。
【図６】フレーム部材の開口部の形状の変形例を示す図である。
【図７】角部Ａに対応する周縁部の形状の変形例を示す図である。
【符号の説明】
【００９５】
１０                画像表示媒体（表示媒体）
１２                第１基板（基板）
１３                第２基板（基板）
２１                注入口
２２                排気口
３０                電気泳動媒体
３１                帯電粒子
３１ａ              第１粒子（帯電粒子）
３１ｂ              第２粒子（帯電粒子）
３３                帯電粒子分散液
Ｒ                  液室
Ａ，Ｂ              鋭角の角部
Ｘ                  注入口の中心部
Ｙ                  角部Ａの二等分線
ｄ                  注入口と角部Ａの頂点との最短距離
ｄ’                排気口と角部Ｂの頂点との最短距離                  
【図１】
2006243269.tif 000003
【図２】
2006243269.tif 000004
【図３】
2006243269.tif 000005
【図４】
2006243269.tif 000006
【図５】
2006243269.tif 000007
【図６】
2006243269.tif 000008
【図７】
2006243269.tif 000009